(57)【要約】【課題】  容易かつ安価に施工可能であり，火災時に大きな隔離効果を発現する防火材を提案する。【解決手段】  本発明に係る防火材（１０）は，火災時にケーブル導管，流体導管等の配管（２０）を隔離するものであり，熱収縮性プラスチック材料で構成されたマトリックス（１１）内に，耐火性を有する芯材（１２）を埋設した構成とされている。【選択図】  図１
2005333798.tif 000002
【特許請求の範囲】
【請求項１】
火災時にケーブル導管，流体導管等の配管類（２０）を隔離するための防火材（１０）において，熱収縮性プラスチック材料で構成されたマトリックス（１１）を具え，該マトリックス（１１）内に耐火性を有する芯材（１２）が埋設されていることを特徴とする防火材。
【請求項２】
請求項１記載の防火材において，芯材（１２）がコード状を呈することを特徴とする防火材。
【請求項３】
請求項１又は２に記載の防火材において，該防火材（１０）が管状の外形を有することを特徴とする防火材。
【請求項４】
請求項１又は２に記載の防火材において，該防火材（１０）が帯状の扁平材料として成形されていることを特徴とする防火材。
【請求項５】
請求項４記載の防火材において，前記扁平材料の平坦面上に粘着層（１３）が配設されていることを特徴とする防火材。
【請求項６】
請求項１又は２に記載の防火材において，該防火材（１０）が粘土状物質として構成されていることを特徴とする防火材。
【発明の詳細な説明】
【技術分野】
【０００１】
本発明は，ケーブル導管，流体導管等の配管を火災時に隔離するための防火材に関するものである。
【背景技術】
【０００２】
この種の防火材は，ケーブル，ケーブル支持トラス，断熱された鋼管，プラスチック管等の配管を隔離するために，配管自体の一部として，又は配管を被覆するマットやバンデージ等として使用され，火災時に配管類を完全に圧潰させて閉止するものである。なお，上記のケーブルや配管等は，壁の通過領域では防火材により全周に亘って環状に被覆されている。
【０００３】
国際公開パンフレットＷＯ９９／１８３０３Ａ１（特許文献１）は，流体導管やケーブル導管等の配管の延焼を防止するために，壁の通過領域において配管上に各種防火材を層状に配置する方法を記載している。例えば，先ず配管の外面上に帯状の膨張性材料を周設し，この膨張性材料層上に熱収縮性材料層を配置する。この場合，熱収縮性材料層が火災発生時の加熱作用によって収縮し，膨張性物質の膨張による配管の圧潰をバックアップする。
【特許文献１】国際公開パンフレットＷＯ９９／１８３０３Ａ１
【０００４】
上述した従来技術は，延焼を防止するために配管に対する複数の作業工程を必要とするものであり，したがって施工費用を低下させるのが困難である。
【発明の開示】
【発明が解決しようとする課題】
【０００５】
本発明の課題は，容易かつ安価に施工可能であると共に，火災時に大きな隔離効果を発現する防火材を提案することにある。
【課題を解決するための手段】
【０００６】
この課題を解決するため，本発明に係る防火材は，熱収縮可能なプラスチック材料で構成されたマトリックスを具え，該マトリックス内に耐火性芯材が埋設されていることを特徴とするものである。収縮可能なプラスチック材料は，放射線重合等により分子が網目状に結合されたポリオレフィン，蛍光ポリマー，エラストマ等で構成することが可能である。他方，耐火性材料は膨張性材料，セラミック材料，断熱材料等である。このようなマトリックスと耐火性芯材との組み合わせにより，均質な防火材を確保することが可能である。本発明に係る防火材は加熱処理を施して熱収縮を生じさせることにより，すなわち一作業工程だけで配管に密着させることが可能である。
【０００７】
製造技術上の観点から，芯材をコード状に成形するのが有利である。防火材をエンドレス方式等で帯状物として連続的に製造できるからである。この帯状防火材は配管の外周上に巻回し，熱収縮させて配管に密着させることができる。
【０００８】
芯材は，球状，粒状，棒状等の適宜形状とすることも可能である。
【０００９】
防火材を管状に形成するのが好適である。この場合には，防火材を配管上に直接的に引き出して収縮させることが可能である。 
【００１０】
防火材を帯状とし，その平坦面上に粘着層を配設するのが有利である。この粘着層によれば，防火材を収縮前に配管に対して予め固定しておくことが可能である。
【００１１】
更に，防火材を粘土状物質として構成するのが有利である。このような粘土状物質は，アクセス困難な配管部分に対しても容易に適用可能であり，極めて狭い中間スペース内に確実に押し込むことができる。引き続く加熱処理により粘土状の防火材を収縮させ，配管上に密着させることが可能である。
【発明を実施するための最良の形態】
【００１２】
以下，本発明を図示の好適な実施形態について更に具体的に説明する。
【００１３】
図１に示す防火材１０は管状部分として成形されており，配管２０の外面上に配置されている。この防火材１０は，熱収縮性プラスチック材料で構成されたマトリックス１１を具える。このような収縮性プラスチック材料としては，放射線重合等により分子が網目状に結合されたポリオレフィン，蛍光ポリマー，エラストマ等を列挙することができる。マトリックス１１内に埋設される芯材１２は，膨張性材料，セラミック材料，断熱材料等の耐火材料で構成されている。このような耐火性材料としては，膨張グラファイト，バーミキュライト，ケイ酸ナトリウム，又はポリ燐酸アンモニウム，メラミン，ペンタエリトリットの混合物等からなる膨張性化学物質等を列挙することができる。芯材１２は粒状，球状，棒状，ファイバー状等として構成することができる。芯材１２の寸法は，微粒子オーダから数ｍｍまでの範囲内で適宜に定めることが可能である。コード状又はファイバー状の芯材１２の場合，その長さは管状防火材１０の全長とほぼ一致する。
【００１４】
防火材１０で構成された管状部分は，局所的な熱処理（例えば，約７０℃までの加熱処理）により，図２に示すように配管２０上で収縮する。その際，マトリックス１１の母材が初期寸法の約７０〜２５％まで収縮するため，防火材１０が配管２０の表面２１に密着する。
【００１５】
材料が例えば１００℃を超える温度まで加熱される火災時には，芯材１２の膨張性材料等が膨張するために配管２０が圧潰され，延焼を防止することが可能である。
【００１６】
図３に示した防火材１０は帯状の扁平材料として構成されている。マトリックス１１は熱収縮性プラスチック材料で構成され，前述した耐火材料製の芯材１２が埋設されている。防火材１０は，粘着層１３を配設した平坦面１４を有する。その際，粘着層１３により防火材１０を，配管２０に対して少なくとも予備的に固定することができる。図４に示すように，コード状の芯材１２は，防火材１０の長手方向に対してほぼ平行に延在する。防火材１０を配管に対して接着した状態では，図２におけると同様に，防火材１０が配管の全周を包囲する。
【００１７】
図５に示す変形可能な粘土状物質として構成された防火材１０は，熱収縮性プラスチック材料で構成されたマトリックス１１を具え，このマトリックス１１も弾性変形可能である。既述のように，耐火性材料で構成された芯材１２をマトリックス１１内に配置する。
【００１８】
図５に示す物質は極めてフレキシブルに投入可能であり，非常に狭い構造スペースにおいても使用可能である。
【図面の簡単な説明】
【００１９】
【図１】配管上に配置した管状の防火材を示す断面図である。
【図２】図１に示した防火材を配管上での収縮状態で示す断面図である。
【図３】帯状の防火材を示す断面図である。
【図４】図３のIV−IV線に沿う断面図である。
【図５】粘土状物質として構成した防火材の断面図である。
【符号の説明】
【００２０】
１０  防火材
１１  マトリックス
１２  芯材
１３  粘着層
１４  平坦面
２０  配管
２１  表面
【図１】
2005333798.tif 000003
【図２】
2005333798.tif 000004
【図３】
2005333798.tif 000005
【図４】
2005333798.tif 000006
【図５】
2005333798.tif 000007